(57)【要約】【課題】非常事態であることを知らせる信号を確実に出力する。【解決手段】警報システムは、受信機２と送信機３を備える電力線ユニット１と、携帯送信機４と、デジタルカメラ１１とを備える。携帯送信機４は、押ボタンスイッチ４１が押されると、ラッチング機構で押された状態に保持されて非常電波を送信する。電力線ユニット１は、受信機２が携帯送信機４の非常電波を受信すると、送信機３が、場所情報とデジタルカメラ１１から出力される画像信号とを、搬送波送信回路３１から電力線１０に出力すると共に、電話送信回路３２から無線伝送する。さらに、電力線ユニット１は、他の電力線ユニット１から電力線１０を介して伝送されてくる画像データを記憶する受信画像記憶回路１４と、画像信号を表示するモニタ９を備え、非常搬送波を受信すると、受信した場所情報をスピーカー８から音声で発生し、画像信号をモニタ９に表示する。【選択図】図３
2005292987.tif 000002
【特許請求の範囲】
【請求項１】
商用電源の電力線(10)に接続される受信機(2)と送信機(3)を備える電力線ユニット(1)と、この電力線ユニット(1)の受信機(2)に非常電波を送信する携帯送信機(4)と、電力線ユニット(1)を設置する住宅に設置されて撮影した画像信号を電力線ユニット(1)に出力するデジタルカメラ(11)とを備えており、
携帯送信機(4)は、非常時に押される押ボタンスイッチ(41)と、この押ボタンスイッチ(41)に接続されて押ボタンスイッチ(41)が押されると非常電波を送信する送信回路(42)と、送信回路(42)が送信する非常電波を変調する識別情報を記憶している識別情報記憶回路(43)とを備え、押ボタンスイッチ(41)は、押されると押された状態を機械的に保持するラッチング機構を備えており、
電力線ユニット(1)は、設置場所を特定する場所情報を記憶している場所記憶回路(5)と、他の電力線ユニット(1)から電力線(10)を介して伝送されてくる画像データを記憶する受信画像記憶回路(14)と、他の電力線ユニット(1)から入力される画像信号を表示するモニタ(9)を備えており、
さらに、電力線ユニット(1)の受信機(2)は、携帯送信機(4)からの非常電波を受信する無線受信回路(21)と、電力線(10)から入力される他の電力線ユニット(1)から出力される搬送波を受信して場所情報と画像信号を検出する搬送波受信回路(22)と、搬送波受信回路(22)で検出される場所情報を音声で再生するスピーカー(8)と、場所情報と画像信号を記憶する受信画像記憶回路(14)とを備えており、
さらにまた、電力線ユニット(1)の送信機(3)は、無線受信回路(21)が携帯送信機(4)の非常電波を受信すると、場所情報とデジタルカメラ(11)から出力される画像信号とで電力線搬送波を変調して電力線(10)に出力する搬送波送信回路(31)と、非常電波を受信すると無線の電話回線を介して呼び出す特定相手の電話番号を記憶している番号記憶回路(33)と、非常電波を受信して番号記憶回路(33)に記憶している特定の相手を呼び出して、場所記憶回路(5)に記憶している場所情報を相手に伝送すると共に、デジタルカメラ(11)から出力される画像データを相手に無線伝送する電話送信回路(32)とを備えており、
携帯送信機(4)の押ボタンスイッチ(41)が押されると、ラッチング機構で押された状態に保持されて、送信回路(42)が識別情報で変調された非常電波を送信し、この非常電波が電力線ユニット(1)の無線受信回路(21)に受信され、無線受信回路(21)が非常電波を受信すると、搬送波送信回路(31)が場所情報と画像信号で電力線搬送波を変調して電力線(10)に出力し、さらに電話送信回路(32)が、番号記憶回路(33)に記憶される番号で無線搬送波を変調して送信して特定の相手先を呼び出すと共に、呼び出した相手に場所記憶回路(5)に記憶される場所情報と画像信号を無線伝送し、
さらに、搬送波受信回路(22)が電力線(10)を介して他の電力線ユニット(1)から出力される搬送波を受信すると、受信した搬送波を復調して場所情報をスピーカー(8)から音声で発生すると共に、画像信号をモニタ(9)に表示するようにしてなる警報システム。
【請求項２】
電力線ユニット(1)が、デジタルカメラ(11)から出力される画像データを一定の周期で繰り返し記憶する画像記憶回路(12)を備えており、この画像記憶回路(12)は、携帯送信機(4)からの非常電波を受信すると、非常電波を受信するまでに記憶していた画像データを保存画像データとして消去しない状態で保存し、保存画像データを搬送波送信回路(31)で電力線(10)に出力すると共に、電話送信回路(32)で無線伝送する請求項１に記載される警報システム。
【請求項３】
電力線ユニット(1)が、デジタルカメラ(11)から出力される画像データを記憶する第２画像記憶回路(13)を備えており、この第２画像記憶回路(13)は、携帯送信機(4)からの非常電波を受信すると、非常電波を受信してからデジタルカメラ(11)から出力される画像データを保存画像データとして消去しない状態で保存し、この第２画像記憶回路(13)に記憶される保存画像データを搬送波送信回路(31)で電力線(10)に出力すると共に、電話送信回路(32)で無線伝送する請求項１に記載される警報システム。
【請求項４】
携帯送信機(4)が電源回路(44)と、この電源回路(44)をコンセントに脱着できるように接続するプラグ(45)を備えており、電源回路(44)は、プラグ(45)をコンセントに接続する状態で、コンセントとプラグ(45)を介して入力される商用電源を送信回路(42)の供給電圧の直流に変換する直流変換回路(44A)と、商用電源を直流に変換して充電される二次電池(44B)とを備えており、プラグ(45)がコンセントから外されると、二次電池(44B)が送信回路(42)に電力を供給するようにしてなる請求項１に記載される警報システム。
【請求項５】
電力線ユニット(1)が、商用電源を受信機(2)と送信機(3)の供給電圧の直流に変換する電源回路(6)と、商用電源から入力される電力で充電される二次電池(7)とを備えており、商用電源が入力される状態では、電源回路(6)が受信機(2)と送信機(3)に電力を供給し、商用電源が供給されない状態では、二次電池(7)が受信機(2)と送信機(3)に電力を供給するようにしてなる請求項１に記載される警報システム。
【請求項６】
携帯送信機(4)の識別情報記憶回路(43)が、携帯送信機(4)を使用するユーザーのＩＤと氏名と愛称のいずれかを識別情報として記憶している請求項１に記載される警報システム。
【請求項７】
携帯送信機(4)の送信回路(42)は、ラッチング機構で押ボタンスイッチ(41)が押される状態に保持される状態で、繰り返し非常電波を送信する請求項１に記載される警報システム。
【発明の詳細な説明】
【技術分野】
【０００１】
本発明は、独り住まいの老人等が安心して生活できる警報システムに関し、とくに、電力線搬送を利用することによって、強盗等の侵入者があると、このことを近所の複数の住居に確実に知らせることができる警報システムに関する。
【背景技術】
【０００２】
既存の商用電源の電力線を搬送媒体に利用する電力線搬送は、警報システムとして理想的な特徴がある。それは、専用の伝送線を配線することなく、同一のトランスに接続している近所の複数の住宅に、警報信号を確実に伝送できるからである。この特徴を生かすために、電力線搬送通信を利用する警報システムが開発されている（特許文献１参照）。
【特許文献１】特開２００３−１６８１７６号公報
【発明の開示】
【発明が解決しようとする課題】
【０００３】
この公報に記載される電力線搬送を利用する警報システムは、図１に示すように、柱上トランス６０の二次側に接続している同じ回線の電力線１０を複数の住宅に供給している。したがって、この電力線１０を介して通信することで、同じ回線に接続している住宅間で確実に通信できる。
【０００４】
この警報システムは、各々の住宅に設置しているセンサー端末６２と情報管理装置６１とを商用電源の電力線１０に接続している。センサー端末６２には、防犯センサー、火災センサー、ガス漏れセンサー、降雨検知センサー等を接続している。この警報システムは、たとえば、センサー端末６２の防犯センサーが侵入者を検出すると、このことを電力線搬送して、同一回線の電力線１０に接続している近所の情報管理装置６１に伝送する。このことを受信した情報管理装置６１は、音声やモニタでこのことを表示する。このため、近所に侵入者があり、あるいは火災が発生すると、その近所の住宅にも侵入や火災の警報を伝送して知らせることができる。
【０００５】
しかしながら、この公報に記載される警報システムは、侵入者があったときに、確実にこのことを知らせることができないことがある。それは、センサー端末を電力線に接続するので、センサー端末の設置場所に制約を受けるからである。また、侵入者が電力線を切断して電源を遮断すると、電源が供給されなくなって、全ての回路が動作しなくなる欠点もある。
【０００６】
さらに、この警報システムの最大の欠点は、強盗等が侵入者したときに、確実に侵入を知らせる非常信号を出力するのが難しいことにある。たとえば、強盗の侵入を知ってから押ボタンスイッチを押すまでの時間が非常に短いために、押ボタンスイッチを確実に押すことができない場合、あるいはいったん押した押ボタンスイッチが侵入者によって元の位置に復帰されて、非常電波を出力できなくなることがある。
【０００７】
本発明の第１の目的は、非常に厳しい状態におかれても確実に非常事態であることを知らせる信号を出力できる警報システムを提供することにある。
【０００８】
さらに、警報システムは近所の複数の住宅に警報を出すので、間違って警報を出すのを極力さけることが大切である。それは、間違って警報が出されると、本当の警報のときに信じられなくなるからである。本発明の第２の目的は、間違って警報を出すのを有効に防止して警報の信頼性を向上できる警報システムを提供することにある。
【課題を解決するための手段】
【０００９】
本発明の警報システムは、商用電源の電力線１０に接続される受信機２と送信機３を備える電力線ユニット１と、この電力線ユニット１の受信機２に非常電波を送信する携帯送信機４と、電力線ユニット１を設置する住宅に設置されて撮影した画像信号を電力線ユニット１に出力するデジタルカメラ１１とを備える。携帯送信機４は、非常時に押される押ボタンスイッチ４１と、この押ボタンスイッチ４１に接続されて押ボタンスイッチ４１が押されると非常電波を送信する送信回路４２と、送信回路４２が送信する非常電波を変調する識別情報を記憶している識別情報記憶回路４３とを備える。押ボタンスイッチ４１は、押されると押された状態を機械的に保持するラッチング機構を備える。電力線ユニット１は、設置場所を特定する場所情報を記憶している場所記憶回路５と、他の電力線ユニット１から電力線１０を介して伝送されてくる画像データを記憶する受信画像記憶回路１４と、他の電力線ユニット１から入力される画像信号を表示するモニタ９を備える。電力線ユニット１の受信機２は、携帯送信機４からの非常電波を受信する無線受信回路２１と、電力線１０から入力される他の電力線ユニット１から出力される搬送波を受信して場所情報と画像信号を検出する搬送波受信回路２２と、搬送波受信回路２２で検出される場所情報を音声で再生するスピーカー８と、場所情報と画像信号を記憶する受信画像記憶回路１４とを備える。電力線ユニット１の送信機３は、無線受信回路２１が携帯送信機４の非常電波を受信すると、場所情報とデジタルカメラ１１から出力される画像信号とで電力線搬送波を変調して電力線１０に出力する搬送波送信回路３１と、非常電波を受信すると無線の電話回線を介して呼び出す特定相手の電話番号を記憶している番号記憶回路３３と、非常電波を受信して番号記憶回路３３に記憶している特定の相手を呼び出して、場所記憶回路５に記憶している場所情報を相手に伝送すると共に、デジタルカメラ１１から出力される画像データを相手に無線伝送する電話送信回路３２とを備える。電力線ユニット１は、携帯送信機４の押ボタンスイッチ４１が押されると、ラッチング機構で押された状態に保持されて、送信回路４２が識別情報で変調された非常電波を送信する。この非常電波が電力線ユニット１の無線受信回路２１に受信され、無線受信回路２１が非常電波を受信すると、搬送波送信回路３１が場所情報と画像信号で電力線搬送波を変調して電力線１０に出力し、さらに電話送信回路３２が、番号記憶回路３３に記憶される番号で無線搬送波を変調して送信して特定の相手先を呼び出すと共に、呼び出した相手に場所記憶回路５に記憶される場所情報と画像信号を無線伝送する。さらに、搬送波受信回路２２は、電力線１０を介して他の電力線ユニット１から出力される搬送波を受信すると、受信した搬送波を復調して場所情報をスピーカー８から音声で発生すると共に、画像信号をモニタ９に表示する。
【００１０】
本発明の請求項２の警報システムは、電力線ユニット１が、デジタルカメラ１１から出力される画像データを一定の周期で繰り返し記憶する画像記憶回路１２を備えている。この画像記憶回路１２は、携帯送信機４からの非常電波を受信すると、非常電波を受信するまでに記憶していた画像データを保存画像データとして消去しない状態で保存し、保存画像データを搬送波送信回路３１で電力線１０に出力すると共に、電話送信回路３２で無線伝送する。
【００１１】
本発明の請求項３の警報システムは、電力線ユニット１が、デジタルカメラ１１から出力される画像データを記憶する第２画像記憶回路１３を備えている。この第２画像記憶回路１３は、携帯送信機４からの非常電波を受信すると、非常電波を受信後は、デジタルカメラ１１から出力される画像データを保存画像データとして消去しない状態で保存し、この第２画像記憶回路１３に記憶される保存画像データを搬送波送信回路３１で電力線１０に出力すると共に、電話送信回路３２で無線伝送する。
【００１２】
本発明の請求項４の警報システムは、携帯送信機４が電源回路４４と、この電源回路４４をコンセントに脱着できるように接続するプラグ４５を備えている。電源回路４４は、プラグ４５をコンセントに接続する状態で、コンセントとプラグ４５を介して入力される商用電源を送信回路４２の供給電圧の直流に変換する直流変換回路４４Ａと、商用電源を直流に変換して充電される二次電池４４Ｂとを備えている。この電源回路４４は、プラグ４５がコンセントから外されると、二次電池４４Ｂが送信回路４２に電力を供給する。
【００１３】
本発明の請求項５の警報システムは、電力線ユニット１が、商用電源を受信機２と送信機３の供給電圧の直流に変換する電源回路６と、商用電源から入力される電力で充電される二次電池７とを備えている。この電力線ユニット１は、商用電源が入力される状態では、電源回路６が受信機２と送信機３に電力を供給し、商用電源が供給されない状態では、二次電池７が受信機２と送信機３に電力を供給する。
【００１４】
本発明の請求項６の警報システムは、携帯送信機４の識別情報記憶回路４３が、携帯送信機４を使用するユーザーのＩＤと氏名と愛称のいずれかを識別情報として記憶している。
【００１５】
本発明の請求項７の警報システムは、携帯送信機４の送信回路４２が、ラッチング機構で押ボタンスイッチ４１が押される状態に保持される状態で、繰り返し非常電波を送信する。
【発明の効果】
【００１６】
本発明の警報システムは、非常事態であることを音声と画像で確実に知らせることができる特長がある。それは、本発明の警報システムが、住宅に設置されたデジタルカメラを備え、非常時において、このデジタルカメラで撮影した画像を電力線ユニットの送信機で送信すると共に、この信号を受信した電力線ユニットが、受信した画像データを受信画像記憶回路に記憶しているからである。この警報システムは、ひとつの電力線ユニットから画像信号が出力されると、この信号は同じ電力線に接続している全ての電力線ユニットの受信画像記憶回路に記憶される。このため、たとえば、非常事態が発生した住宅に設置している電力線ユニットを侵入者が破壊しても、この住宅の場所情報と、デジタルカメラから出力される画像データは、電力線ユニットが破壊されるまでに伝送されて受信画像記憶回路に記憶され、場所情報と画像データを全て消去することはできない。したがって、非常事態が発生したことを確実に知らせことができると共に、受信画像記憶回路に記憶される画像データを、その後に侵入者を追求する極めて有効な情報として活用できる。
【００１７】
さらに、本発明の警報システムは、携帯送信機を備え、非常時に携帯送信機の押ボタンスイッチが押されると、携帯送信機が非常電波を送信し、この非常電波を電力線ユニットの受信機で受信して、場所情報と画像データを送信機から送信するようにしている。このため、従来の警報システムのように設置場所に制約を受けることなく、電力線ユニットを天井裏等の侵入者に判り難い場所に配置できると共に、携帯送信機を身近な場所であって操作しやすい場所に配置できる。したがって、使用者は、非常時において、近くに設置された携帯送信機の押ボタンスイッチを短時間で操作して、非常事態であることを確実に知らせることができる。
【００１８】
とくに、本発明の警報システムは、携帯送信機の押ボタンスイッチが、押されると押された状態を機械的に保持するラッチング機構を備えているので、いったん押した押ボタンスイッチが侵入者によって元の位置に復帰されるのを確実に阻止できる。したがって、強盗等が侵入者したときに、非常事態を知らせる信号を確実に出力できる。
【００１９】
さらに、いったん押した押ボタンスイッチを復帰できない構造の携帯送信機は、間違って押しボタンを押したときにも復帰できないので、その後は使用できなくなる。このため、押ボタンスイッチが押された携帯送信機は、新しいものに交換する必要があり、このための費用が高くなってしまう。このことは、使用者に対して、誤って押ボタンスイッチを押さないように注意を促す効果があり、近所の複数の住宅に誤って警報を出のを極力さけることができる。したがって、本発明の警報システムは、間違って警報を出すのを有効に防止して、本当の警報のときの信頼性を向上できる特長が実現できる。
【００２０】
さらに、本発明の請求項５の警報システムは、商用電源から入力される電力で充電される二次電池を備えているので、侵入者が電力線を切断して電源を遮断する状態、あるいは停電時においても、この二次電池から電力線ユニットに電力を供給して回路を動作できる特長がある。とくに、本発明の警報システムは、受信機の無線受信回路が携帯送信機の非常電波を受信すると、場所情報と画像データを送信機の搬送波送信回路から電力線に出力するだけでなく、送信機の電話送信回路からも特定の相手に送信するので、電力線が切断されて搬送波送信回路から電力線搬送波を送信できなくなっても、電話送信回路から無線搬送波を送信して、非常事態を確実に知らせることができる。
【発明を実施するための最良の形態】
【００２１】
以下、本発明の実施例を図面に基づいて説明する。ただし、以下に示す実施例は、本発明の技術思想を具体化するための警報システムを例示するものであって、本発明は警報システムを以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図２と図３に示す警報システムは、商用電源の電力線１０に接続されて、電力線搬送通信する受信機２及び送信機３を備える電力線ユニット１と、この電力線ユニット１の受信機２に非常電波を送信する携帯送信機４と、電力線ユニット１を設置する住宅に設置されて撮影した画像信号を電力線ユニット１に出力するデジタルカメラ１１とを備えている。
【００２４】
携帯送信機４は、非常時に押される押ボタンスイッチ４１と、この押ボタンスイッチ４１に接続されて、押ボタンスイッチ４１が押されると非常電波を送信する送信回路４２と、送信回路４２が送信する非常電波を変調する識別情報を記憶している識別情報記憶回路４３と、電源回路４４と、この電源回路４４をコンセントに脱着できるように接続するプラグ４５を備えている。
【００２５】
押ボタンスイッチ４１は、一度押されるとその状態を保持するように、押された状態を機械的に保持するラッチング機構を備えている。図４は、携帯送信機４の概略断面図を示す。この図の携帯送信機４の押ボタンスイッチ４１は、ドーム状の変形できる硬質プレート４６と、この硬質プレート４６でオンオフに切り換えられるマイクロスイッチ４７とを備える。硬質プレート４６は、図の実線で示す中央凸の形状と、鎖線で示す中央凹の形状のいずれかの形状に保持される。すなわち、硬質プレート４６は、図において中央を上又は下に突出させるいずれかの形状で停止され、その他の形状では停止されない。硬質プレート４６の形状を押された形状に保持することで、ラッチング機構を実現している。この硬質プレート４６は、携帯送信機４のケーシング４８の外部に突出する形状で、ケーシング４８に連結される。硬質プレート４６は、その周縁をケーシング４８に連結してケーシング４８に装置される。この硬質プレート４６は、表面を押さない状態では、図に示すように中央凸にケーシング４８の外側に突出して、マイクロスイッチ４７のプランジャー４７Ａを押さない。硬質プレート４６の表面が押されると、鎖線で示すように中央凹のスイッチ切り換え形状に変形する。硬質プレート４６がスイッチ切り換え形状に変形されると、表面を押すのを解除してもこの形状に保持される。
【００２６】
マイクロスイッチ４７は、スイッチ切り換え形状の硬質プレート４６でプランジャー４７Ａが押されるようにケーシング４８に固定される。マイクロスイッチ４７は、プランジャー４７Ａが押されて切り換えられる。たとえば、マイクロスイッチ４７は、プランジャー４７Ａが押されるとオフからオンに切り換えられる。ただ、マイクロスイッチは、プランジャーが押されるとオンからオフに切り換えるようにすることもできる。
【００２７】
送信回路４２は、押ボタンスイッチ４１が押されて切り換えられると、非常電波を送信する。送信回路４２は、どの携帯送信機４から送信された非常電波であるかを特定するために、識別情報で変調して非常電波を送信する。非常電波を変調する識別情報は、識別情報記憶回路４３に記憶されている。識別情報記憶回路４３に記憶される識別情報は、携帯送信機４を使用するユーザーのＩＤ、氏名、愛称等である。ただし、識別情報は、携帯送信機４を特定できる全ての識別情報とすることができるので、単なる符号や数字とすることもできる。
【００２８】
電源回路４４は、プラグ４５を電源コンセントに接続する状態では、コンセントとプラグ４５を介して入力される商用電源を送信回路４２の供給電圧の直流に変換する直流変換回路４４Ａと、商用電源を直流に変換して充電される二次電池４４Ｂとを備えている。この電源回路４４は、プラグ４５を電源コンセントに接続する状態では、直流変換回路４４Ａから送信回路４２に電力を供給し、プラグ４５をコンセントから外す状態では、充電された二次電池４４Ｂが送信回路４２に電力を供給する。
【００２９】
プラグ４５は、ケーシング４８から突出して固定され、電源コンセントに脱着できるように連結される。さらに、プラグ４５は、直流変換回路４４Ａに接続されて、直流変換回路４４Ａに商用電源を供給する。直流変換回路４４Ａは、商用電源（日本では交流１００Ｖ）を、送信回路４２の供給電圧まで降圧して直流に変換する。この直流変換回路４４Ａは、二次電池４４Ｂを充電して、二次電池４４Ｂを常に使用できる状態とする。二次電池４４Ｂは、ニッケル水素電池やニッケルカドミウム電池、あるいはリチウムイオン二次電池等の充電できる電池である。
【００３０】
この構造の携帯送信機４は、非常時に押ボタンスイッチ４１が押されると、識別情報記憶回路４３に記憶される識別情報で変調された非常電波が送信される。押ボタンスイッチ４１は、一旦押されるとラッチング機構で押された形状に保持される。したがって、送信回路４２は、一旦押ボタンスイッチ４１が押されると、その後、二次電池４４Ｂが完全に放電されるまで、非常電波を継続して送信する。
【００３１】
電力線ユニット１は、設置場所を特定する場所情報を記憶している場所記憶回路５と、他の電力線ユニット１から電力線１０を介して伝送されてくる画像データを記憶する受信画像記憶回路１４と、他の電力線ユニット１から入力される画像信号を表示するモニタ９とを備える。場所記憶回路５に記憶される場所情報は、電力線ユニット１から出力される電力線搬送波を変調して、どこの電力線ユニット１から出力される搬送波であるかを特定する。
【００３２】
受信画像記憶回路１４は、他の電力線ユニット１から送られている画像データを搬送波受信回路２２で受信して記憶する。いいかえると、ひとつの電力線ユニット１が携帯送信機４から非常電波を受信して、場所記憶回路５に記憶される場所情報と、デジタルカメラ１１から出力される画像信号とで電力線搬送波を変調して出力すると、この信号は同じ電力線１０に接続している全ての電力線ユニット１の受信画像記憶回路１４に記憶される。このため、たとえば、携帯送信機４を送信した住宅に設置している電力線ユニット１を侵入者が破壊しても、侵入した住宅の場所情報と、このデジタルカメラ１１から出力される画像データは、電力線ユニット１が破壊されるまでに他の電力線ユニット１に伝送されて記憶されている。このため、場所情報と画像データを全て消去することができない。したがって、いずれかの住宅へ侵入者があると、その画像データは他の全ての電力線ユニット１の受信画像記憶回路１４に記憶される。受信画像記憶回路１４に記憶される画像データは、その後に侵入者を追求する極めて有効な情報となる。
【００３３】
さらに図３の電力線ユニット１は、非常電波が送信されるまでの画像データを記憶する画像記憶回路１２と、非常電波が送信された後の画像データを記憶する第２画像記憶回路１３と、デジタルカメラ１１とを備えている。デジタルカメラ１１は、図２に示すように、携帯送信機４を設けている室内を撮影するように住宅に固定され、あるいは、外部から侵入者が通過する場所に配置される。画像記憶回路１２は、デジタルカメラ１１から出力される画像データを一定の周期で繰り返し記憶する。画像記憶回路１２は、たとえば１〜５秒の周期で、１０〜１０００コマの画像データを記憶容量がいっぱいになる状態で繰り返し記憶する。画像記憶回路１２は、後で詳述する無線受信回路２１が携帯送信機４からの非常電波を受信すると、非常電波を受信するまでに記憶していた画像データを保存画像データとして消去しない状態で保存する。すなわち、繰り返し書き換えていた画像データの書換えを停止して、すでに記憶している画像信号を保存画像データとして保存する。画像記憶回路１２に記憶される保存画像データは、非常電波が送信されまでの画像データであるから、たとえば侵入者が住宅に侵入して、押ボタンスイッチ４１を押すまでの画像が記憶される。電力線ユニット１の搬送波送信回路３１は、この保存画像データで電力線搬送波を変調して電力線１０に出力して、同一の電力線１０に接続している全ての電力線ユニット１に伝送する。したがって、非常電波が送信されるまで、いいかえると侵入者があって押ボタンスイッチ４１が押されるまでに、デジタルカメラ１１が撮影した画像データが全ての電力線ユニット１の受信画像記憶回路１４に記憶される。さらに、電力線ユニット１は、電話送信回路３２でもって、電話回線を介して、画像記憶回路１２に記憶している画像データで無線搬送波を変調して、特定の相手に画像データを無線伝送する。
【００３４】
以上のようにして、非常電波が送信されまでの画像データが、電力線搬送して他の電力線ユニット１に伝送され、さらに電話回線で特定の相手に伝送される。さらに、第２画像記憶回路１３で、非常電波が送信された後の画像データも、他の電力線ユニット１と特定の相手の両方に送信される。電力線ユニット１の第２画像記憶回路１３は、携帯送信機４からの非常電波を受信すると、非常電波を受信してからデジタルカメラ１１から出力される画像データを保存画像データとして消去しない状態で保存する。デジタルカメラ１１は、たとえば０．１〜５秒に１コマの周期で、画像データを出力する。第２画像記憶回路１３は、この周期で出力される画像データを記憶容量いっぱいになるまで記憶する。第２画像記憶回路１３は、５分〜１時間の画像データを記憶できる容量を有する。この第２画像記憶回路１３に記憶された保存画像データは、搬送波送信回路３１でもって電力線搬送波を変調して他の電力線ユニット１に出力される。したがって、非常電波が送信された後の画像データも、他の電力線ユニット１の受信画像記憶回路１４に記憶され、モニタ９に表示される。さらに画像記憶回路１２の画像データと同じように、電話送信回路３２でもって、特定の相手にも無線伝送される。
【００３５】
電力線ユニット１に装備される受信機２は、携帯送信機４からの非常電波を受信する無線受信回路２１と、電力線１０から入力される他の電力線ユニット１から出力される搬送波を受信する搬送波受信回路２２とを備える。さらに、搬送波受信回路２２には、電力線１０から入力される他の電力線ユニット１から出力される搬送波を受信して場所情報を検出して音声で再生するスピーカー８を接続している。また、搬送波受信回路２２には、場所情報と画像信号を記憶する受信画像記憶回路１４を接続している。
【００３６】
無線受信回路２１は、携帯送信機４の送信回路４２から送信される非常電波に同調して非常電波のみを選択して受信する。無線受信回路２１は、非常電波を受信すると、受信した非常電波が同じ住宅内の携帯送信機４から送信されたものかどうかを識別する。この識別は、非常電波を変調している識別情報を復調して識別する。同じ住宅内の携帯送信機４から送信された非常電波であると、無線受信回路２１は異常信号を出力する。この異常信号は、画像記憶回路１２と第２画像記憶回路１３と送信機３に出力される。
【００３７】
搬送波受信回路２２は、電力線１０に接続されて、他の電力線ユニット１から送られてくる電力線搬送波を受信する。搬送波受信回路２２が他の電力線ユニット１の電力線搬送波を受信すると、電力線搬送波を変調している場所情報から、どこの電力線ユニット１から出力されたかを判別して、スピーカー８でもって、「金沢１丁目の井上宅で異常事態です。」等と電力線搬送波を出力する電力線ユニット１を音声で再生する。さらに、図３に示す搬送波受信回路２２は、他の電力線ユニット１から送信される画像信号を受信して受信画像記憶回路１４に出力する。搬送波受信回路２２は、場所情報と共に画像信号を受信画像記憶回路１４に出力して、受信画像記憶回路１４に場所情報と共に画像データを記憶させる。搬送波受信回路２２が受信した画像データは、場所情報と共にモニタ９に表示される。
【００３８】
電力線ユニット１の送信機３は、搬送波送信回路３１と電話送信回路３２とを備える。搬送波送信回路３１は、無線受信回路２１から異常信号が入力されると、場所情報とデジタルカメラ１１から出力される画像信号と、画像記憶回路１２及び第２画像記憶回路１３から出力される画像信号とで電力線搬送波を変調して電力線１０に出力する。搬送波送信回路３１は、場所情報、画像記憶回路１２、第２画像記憶回路１３、デジタルカメラ１１の順番で電力線搬送波を変調して出力する。第２画像記憶回路１３とデジタルカメラ１１から出力される画像データが同じときには、いずれかの出力で電力線搬送波を変調して出力してもよい。第２画像記憶回路１３にフルに画像データが記憶された後は、デジタルカメラ１１から出力される画像信号で電力線搬送波を変調して出力する。
【００３９】
搬送波送信回路３１から出力される電力線搬送波は、電力線１０を介して同じ電力線１０に接続している他の全ての電力線ユニット１に伝送される。電力線搬送波を受信した電力線ユニット１の搬送波受信回路２２は、電力線搬送波を場所情報で変調しているので、これを復調してどこの電力線ユニット１から送信された搬送波であるかを識別する。したがって、電力線搬送波を受信した搬送波受信回路２２は、どこの電力線ユニット１が異常信号を出しているかを特定し、そのことをスピーカー８で再生し、また受信した画像データを受信画像記憶回路１４に記憶すると共に、モニタ９に表示する。
【００４０】
電話送信回路３２は、電力線ユニット１から異常信号が入力されると、電話回線に接続される周波数の無線搬送波を送信する。無線搬送波は、電話回線で特定の相手を呼び出すので、番号記憶回路３３に記憶している番号で無線搬送波を変調して送信し、番号記憶回路３３に記憶している番号の相手先を呼び出す。その後、呼び出した相手に、場所記憶回路５に記憶される場所情報を異常信号と共に無線伝送し、その後、画像信号で無線搬送波を変調して画像データを無線伝送する。伝送される画像データは、搬送波送信回路３１と同じように、画像記憶回路１２、第２画像記憶回路１３、デジタルカメラ１１から出力される画像データとする。
【００４１】
番号記憶回路３３は、異常時に電話で異常事態を知らせる相手の電話番号を記憶している。たとえば、番号記憶回路３３は、警察の１１０番と、家族の電話番号と、親しい友人の電話番号と、契約している警備保障の電話番号と、隣の住宅の電話番号等を記憶している。番号記憶回路３３が複数の電話番号を記憶する場合、電話する順番も記憶している。電話送信回路３２は、番号記憶回路３３に記憶される順番にしたがって、相手を呼び出し異常事態であることを知らせると共に、画像データを伝送しモニタ９に表示させる。
【００４２】
電力線ユニット１は、外部からの侵入者に判り難い場所、たとえば、天井裏、床下、壁内等に配置される。この電力線ユニット１は、電力線１０に接続されて商用電源から電力が供給される。したがって、商用電源を送信機３や受信機２の供給電圧の直流に変換する電源回路６を備えている。さらに、電力線１０が切断され、あるいは停電して商用電源が供給されない状態になると、二次電池７が送信機３と受信機２に電力を供給する。二次電池７は、ニッケル水素電池やニッケルカドミウム電池、あるいはリチウムイオン二次電池等の充電できる電池で、商用電源で充電された状態に保持される。商用電源が供給されない状態で、二次電池７から送信機３と受信機２に電力を供給する電力線ユニット１は、たとえば外部からの侵入者が電力線１０を切断し、あるいは停電している状態であっても、異常時には送信機３がそのことを知らせる信号を電力線１０に出力し、または無線で電話回線を呼び出す電波を送信する。
【００４３】
以上の警報システムは、以下のようにして、異常事態を電力線１０を介して近所の住宅に知らせ、さらに電話回線で特定の相手にも知らせる。
【００４４】
(1)  強盗が侵入するなどの異常事態になると、携帯送信機４の押ボタンスイッチ４１が押される。押された押ボタンスイッチ４１は、ラッチング機構で押される状態に保持される。このため、たとえば、強盗が押ボタンスイッチ４１を復帰させようとしても復帰できず、押された状態に保持される。
(2)  押ボタンスイッチ４１が押されると、携帯送信機４の送信回路４２が識別情報で変調された非常電波を送信する。
(3)  非常電波は、携帯送信機４と同じ住宅に設置される電力線ユニット１の無線受信回路２１に受信される。無線受信回路２１は、受信した非常電波を復調して、識別情報から自宅の携帯送信機４から送信された非常電波であるかどうかを判別する。
(4)  自宅の携帯送信機４から送信された非常電波であると、無線受信回路２１は、異常信号を、画像記憶回路１２と第２画像記憶回路１３と搬送波送信回路３１と電話送信回路３２とに出力する。異常信号が入力された画像記憶回路１２は、非常電波を受信するまでに記憶していた画像データを、保存画像データとして消去しない状態で保存する。画像記憶回路１２は、デジタルカメラ１１から出力される画像データを一定の周期で繰り返し記憶している。さらに、異常信号が入力された第２画像記憶回路１３は、デジタルカメラ１１から出力される画像信号を保存画像データとして消去しない状態で記憶することを開始し、記憶容量がいっぱいになるまで記憶を継続する。
(5)  異常信号が入力された搬送波送信回路３１は、場所情報で電力線搬送波を変調した後、画像記憶回路１２の画像データ、第２画像記憶回路１３の画像データ、デジタルカメラ１１から出力される画像信号で電力線搬送波を変調して、電力線１０に出力する。
(6)  電力線１０に出力される電力線搬送波は、同じ電力線１０に接続している電力線ユニット１の搬送波受信回路２２に受信される。電力線搬送波を受信した搬送波受信回路２２は、電力線搬送波を復調して場所情報を検出し、この場所情報からどこの電力線ユニット１から出力されたを識別し、このことが識別されると、スピーカー８でもって、識別された電力線ユニット１を特定して、たとえば「井上宅で異常事態です。」等と再生する。さらに、受信する画像信号を受信画像記憶回路１４に記憶して、モニタ９に画像データを表示する。
(7)  搬送波送信回路３１が電力線搬送波を電力線１０に出力すると同時に、電話送信回路３２は、番号記憶回路３３に記憶している電話番号で無線搬送波を変調して送信し、無線の電話回線でもって、番号記憶回路３３に記憶している相手を呼び出し、その後、場所情報と画像信号で無線搬送波を変調して送信して、どこで異常事態が発生しているかを知らせると共に、画像記憶回路１２と第２画像記憶回路１３に記憶している画像データと、デジタルカメラ１１から出力される画像信号を順番に送信する。番号記憶回路３３に複数の相手が記憶されている場合、順番に記憶している電話番号で無線搬送波を変調して相手を呼び出し、その後、どこで異常事態が発生しているかを知らせると共に、画像データを送信する。複数の相手に無線搬送波を送信する場合、画像記憶回路１２と第２画像記憶回路１３に記憶される画像データを送信した後、次の相手に切り換えて異常事態が発生していることを知らせる。
【図面の簡単な説明】
【００４５】
【図１】従来の電力線搬送を利用する警報システムの構成図である。
【図２】本発明の一実施例にかかる警報システムの概略構成図である。
【図３】図２に示す警報システムの電力線ユニットと携帯送信機のブロック図である。
【図４】携帯送信機の概略断面図である。
【符号の説明】
【００４６】
１…電力線ユニット
２…受信機
３…送信機
４…携帯送信機
５…場所記憶回路
６…電源回路
７…二次電池
８…スピーカー
９…モニタ
１０…電力線
１１…デジタルカメラ
１２…画像記憶回路
１３…第２画像記憶回路
１４…受信画像記憶回路
２１…無線受信回路
２２…搬送波受信回路
３１…搬送波送信回路
３２…電話送信回路
３３…番号記憶回路
４１…押ボタンスイッチ
４２…送信回路
４３…識別情報記憶回路
４４…電源回路            ４４Ａ…直流変換回路
４４Ｂ…二次電池
４５…プラグ
４６…硬質プレート
４７…マイクロスイッチ    ４７Ａ…プランジャー
４８…ケーシング
６０…柱上トランス
６１…情報管理装置
６２…センサー端末
【図１】
2005292987.tif 000003
【図２】
2005292987.tif 000004
【図３】
2005292987.tif 000005
【図４】
2005292987.tif 000006